(57)【特許請求の範囲】
【請求項１】
被介助者の両膝の下腿部側に前方側から当てがわれる柔軟な支えベルトと、略同じ長さを有し一端側が前記支えベルトに連結した４枚の硬質の板状部と、介助者の片膝の下腿部側に巻き回して装着する取付ベルトを備え、前記板状部は前記支えベルトの左右両端部に１枚ずつ、中央部に２枚が隣接して連結され、かつ端部と中央部に連結された板状部が２枚１組とされ各組の板状部の他端側が互いに屈曲自在に連結され、さらに前記取付ベルトはその中間部分が前記各組の板状部の連結部又はその近傍に取り付けられていることを特徴とする被介助者移動補助具。
【請求項２】
前記支えベルトは実質的に伸縮性を持たないことを特徴とする請求項１に記載された被介助者移動補助具。
【請求項３】
前記支えベルトの左右いずれか一端側に折り畳み用ベルトが取り付けられ、該折り畳み用ベルトの裏面と前記支えベルトの他端側の端部に連結された板状部の表面に、互いに貼着する面ファスナーを設けたことを特徴とする請求項１又は２に記載された被介助者移動補助具。
【請求項４】
前記取付ベルトの一端側の裏面と他端側の表面に互いに貼着する面ファスナーを設け、かつ前記取付ベルトの他端側に位置する板状部の表面に、前記取付ベルトの一端側の裏面に設けた面ファスナーと互いに貼着する面ファスナーを設けたことを特徴とする請求項１又は２に記載された被介助者移動補助具。
【発明の詳細な説明】
【０００１】
【発明の属する技術分野】
本発明は、介助者が被介助者を短距離移動させる場合、例えばベッドから車椅子に移乗させる場合に用いられる被介助者移動補助具に関する。
【０００２】
【従来の技術】
介助者が被介助者をベッドから車椅子に移乗させる場合の介助は、例えば次のように行われている。まず車椅子をベッドに横付けし、被介助者に端座位姿勢（体を起こし足をベッドの端から垂らした姿勢＝ベッドの端に腰掛けた姿勢）をとらせ、必要に応じて被介助者に両腕で介助者の体につかまらせ、介助者は両膝で被介助者の足を挟み込んだり、直接膝と膝を合わせたり、あるいは被介助者の股の間に足を入れたりして被介助者の体を支え、同時に両腕で被介助者の体を抱え、車椅子の方へ回転移動（ピボットトランスファー）させる。被介助者の体を抱える場合、被介助者の背中側でパジャマの裾やズボンの端を手でつかむことが多い。
【０００３】
【発明が解決しようとする課題】
しかし、この方法では、被介助者の足に介助者の膝が直接当って被介助者と介助者の双方に痛みを与えたり、被介助者に不快感、不安感を与えたりし、また、被介助者の体重を介助者の足で支えるのが難しく、実際には体重のほとんどを手で支えるようになるので介助者の負担が大きいという指摘があった。
本発明は、このような現状に鑑み、介助者が被介助者を例えばベッドから車椅子に回転移動させて乗せる場合などにおいて、介助者、被介助者双方の負担を減らすことができ、かつ装着が容易な被介助者移動補助具を提供することを目的とする。また、介助者が装着したまま活動ができ、あるいは小さく折り畳んで持ち運びなどに便利な被介助者移動補助具を提供することを目的とする。
【０００４】
【課題を解決するための手段】
本発明に係る被介助者移動補助具は、被介助者の両膝の下腿部側に前方側から当てがわれる柔軟な支えベルトと、略同じ長さを有し一端側が前記支えベルトに連結した４枚の硬質の板状部と、介助者の片膝の下腿部側に巻き回して装着する取付ベルトを備え、前記板状部は前記支えベルトの左右両端部に１枚ずつ、中央部に２枚が隣接して連結され、かつ端部と中央部に連結された板状部が２枚１組とされ各組の板状部の他端側が互いに屈曲自在に連結され、さらに前記取付ベルトはその中間部分が前記各組の板状部の連結部又はその近傍に取り付けられていることを特徴とする。なお、前記板状部は硬質であるから、荷重がかかったときでもほとんど変形せずに当初の板形状を保ち得る。また、前記支えベルトは柔軟であるから、荷重がかかったとき体にフィットして変形し得る。さらに、支えベルトは実質的に伸縮性を持たない材質からなるのが望ましく、前記取付ベルトは伸縮自在であることが望ましい。
【０００５】
上記被介助者移動補助具において、介助者が装着したまま活動しやすくするためあるいは折り畳みのため、支えベルトの左右いずれか一端側に折り畳み用ベルトが取り付けられ、該折り畳み用ベルトの裏面と前記支えベルトの他端側（折り畳み用ベルトが取り付けられた側とは反対側）に連結された板状部の表（おもて）面に、互いに貼着する面ファスナーを設けることが望ましい。
なお、本発明において、表（おもて）面とは、取付ベルト及び折り畳みベルトについては、介助者に装着したとき又は折り畳んだものを閉じたとき外側を向く面を意味し、裏面とはそのとき内側を向く面を意味する。板状部について表面とは外側を向く面を意味する。この場合の板状部はいうまでもなく支えベルトの端部側に連結された板状部である。
【０００６】
また、上記被介助者移動補助具において、前記取付ベルトはいうまでもなく介助者の下腿部側への固定手段を有するが、その固定手段としては、取付ベルトの一端側の裏面と他端側の表面に互いに貼着する面ファスナーを設けることが望ましい。その場合、さらに前記取付ベルトの他端側に位置する板状部の表面に、前記取付ベルトの一端側の裏面に設けた面ファスナーと互いに貼着する面ファスナーを設けることが望ましい。なお、ここでいう「取付ベルトの他端側に位置する板状部」と、前段落の「支えベルトの他端側に連結された板状部」は同一のものであってよく、かつそれぞれに設けた面ファスナーは同一のものであってよい。
【０００７】
【発明の実施の形態】
以下、図１〜図５を参照して、本発明に係る被介助者移動補助具（以下、移動補助具と簡略にいう）についてより具体的に説明する。
図１に示す移動補助具１は、端座位姿勢の被介助者の両膝の下腿部側に前方側から当てがわれる柔軟でかつ実質的に伸縮性をもたない支えベルト２、略同じ長さを有し一端側（矢印ａで示す）が前記支えベルト２に連結した４枚の硬質の板状部３〜６、介助者の片膝の下腿部側に巻き回して固定する取付ベルト７、及び支えベルト２の一端側（板状部３側）に取り付けられた折り畳み用ベルト８からなる。
【０００８】
板状部３〜６は支えベルト２とほぼ同じ幅（上下方向高さ）を有し、それぞれほぼ同じ長さで、支えベルトの左右両端部に１枚ずつ（板状部３、６）、中央部に２枚（板状部４、５）が隣接して連結され、かつ端部と中央部に連結された板状部が２枚１組（板状部３と４の組、板状部５と６の組）とされ各組の板状部の他端側（矢印ｂで示す）が互いに屈曲自在に連結されている。従って、支えベルト２を延ばした状態にすると、支えベルト２を底辺とし、板状部３、４又は板状部５、６を等辺とする２等辺三角形が並んで構成されたように見える。
板状部３〜６は、例えばさや状にした布の内部に硬質の板（例えば木製の板）が封入されたものであり、荷重を受けてもその部分は湾曲等の変形をしないようになっている。この場合、板状部３〜６の布は連続したものでよく（布は４箇所に区切られ、それぞれに板が封入される）、さらにその布は支えベルト２と連続したものでもよい。また、必要に応じて板と布の間（特に板状部４、５の取付ベルト７に面する側）にクッション材を挿入することもできる。
【０００９】
取付ベルト７は伸縮性を有し、その中間部分が前記各組の板状部（板状部３と４、板状部５と６）の連結部に取り付けられている。取付ベルト７の表側（介助者が装着したとき外側を向く面）は全体的に面ファスナー（パイル側）９の材質であり、一端側（板状部３側）の裏面に面ファスナー（フック側）１０が固定され、互いに貼着するようになっている。なお、取付ベルト７の取付部位は、上記のように連結部（三角形の頂点又は板状部の他端側といってもよい）が望ましいが、その近傍であれば例えば板状部３〜６上にきてもよい。
【００１０】
折り畳み用ベルト８は伸縮性を有し、支えベルト２の一端側（板状部３側）に取り付けられ、図２に示すように、その裏面（折り畳んだ移動補助具を閉じたとき内側を向く面）に面ファスナー（フック側）１１が固定されている。また、支えベルト２の他端側（板状部６側）に連結された板状部６の表面に面ファスナー（パイル側）１２が固定され、面ファスナー１１が貼着するようになっている。
この面ファスナー１２には取付ベルト７の面ファスナー１０も貼着する。なお、折り畳みベルト８の取付部位は板状部３上であってもよい。
【００１１】
図２を参照して、この移動補助具１の折り畳み形態を説明すると、（ａ）まず、支えベルト２を板状部３、４の間及び板状部５、６の間に折り込み、かつ、取付ベルト７の中央部と他端側（面ファスナー１０が固定されていない側）を板状部４、５の間に折り込み、（ｂ）さらに板状部３〜６を折り畳み、（ｃ）取付ベルト７と折り畳みベルト８を板状部６側に回し、それぞれの面ファスナー１０と面ファスナー１１を、板状部６の表面の面ファスナー１２に貼着する。このように移動補助具１はコンパクトに折り畳むことができ、持ち運びや収納などに便利となる。
【００１２】
移動補助具１の使用（例えばベッドから車椅子への回転移動）に際しては、図３（ａ）に示すように、支えベルト２を前方に向け、取付ベルト７で介助者Ａの下腿部（膝下）に装着する。支えベルト２は柔軟ではあっても多少の剛性があること、板状部３〜６に厚みがあること（厚みがあるものを一端で連結すると他端側は開きやすい）、及び取付ベルト７により後ろに引っ張っていること等により、この移動補助具１を装着したとき、前方側（支えベルト２側）が自然に開いた状態となる。
【００１３】
次いで、図４に示すように、被介助者Ｂにベッドの端で両膝を揃えて端座位姿勢をとらせ、介助者Ａは被介助者Ｂの前方側から被介助者Ｂの両足の間に足を踏み出し、支えベルト２を被介助者Ｂの両膝の下腿部側（膝下）に当てがい（被介助者Ｂの両膝がそれぞれ板状部３、４の間及び板状部５、６の間に位置するように）、膝を押し込む。これにより被介助者Ｂの両膝はそれぞれ板状部３、４の間及び板状部５、６の間に押し込まれ、かつこれらに挟まれて安定する。また、介助者Ａの膝も板状部４、５の間に押し込まれ、これにより板状部４、５が介助者の膝を挟むかたちになり移動補助具１が安定する。さらに、介助者Ａは両腕を被介助者Ｂの背中側に回してグリップ１３（図５参照）を腰に当てがい、一方、被介助者Ｂは常法通り両腕で介助者Ａの体につかまる。
なお、グリップ１３は、被介助者の背中側に当てがわれる当て部材１４と、その裏側に取り付けられ両手でつかむことができる一対の把持部１５からなる。このグリップ１３を用いると、被介助者Ｂの服やズボンを掴まずに被介助者Ｂの体を支えることができる。
【００１４】
続いて、図５に示すように、介助者Ａはグリップ１３を介して両腕で被介助者Ｂの体を抱え、ベッドから持ち上げ、かつ移動補助具１を介し踏み出した足で被介助者Ｂの体重を支え、その足を軸足として車椅子の方へ回転移動させ、着座させる。
被介助者Ｂの体を抱えてベッドから持ち上げたとき、被介助者Ｂの体重の一部又は大部分が両膝から支えベルト２にかかり、その体重は板状部３〜６を介して介助者Ａの足に支えられる。
【００１５】
この移動補助具１を介助者Ａが装着することにより、被介助者Ｂの体重の大部分を確実に介助者Ａの足で支えることができるので、介助者の負担が軽くなる。また、介助者Ａの膝が直接被介助者Ｂの膝に当たらず、支えベルト２で支えられるので、被介助者Ｂに痛みや不快感を与えることもない。板状部４、５の介助者Ａの足に当たる面にクッション等を介在させることで、介助者Ａにも痛みを与えずに済む。一方、補助具１３を用いることで、被介助者Ｂのパジャマやズボンをつかむ必要がなくなり、被介助者Ｂが不愉快な思いをすることがない。
【００１６】
この移動補助具１は、介助者のみが装着すればよいので、被介助者によけいな負担をかけなくて済み、また被介助者に装着する手間がかからず、介助者が一人でも回転移動の作業をスピーディーに行える利点がある。なお、被介助者に装着するものでは、被介助者が端座位姿勢を自力でとることができない場合、端座位姿勢をとらせるためにもう一人の介助者が必要となる場合が多いが、この移動補助具１を用いることで、一人でも作業ができる。
また、図３（ｂ）に示すように、板状部３〜６の一端側（前方側）を寄せて折り畳みベルト８で閉じれば、ぶらぶらすることがなく、介助者は移動補助具１を装着したままの移動、その他の作業が可能となる。
【００１７】
【発明の効果】
本発明に係る移動補助具によれば、被介助者を短距離移動させる場合に、介助者、被介助者双方の負担を減らすことができる。また、介助者のみが装着していればよいので、端座位姿勢を自力でとることができない被介助者でも一人の介助者で移動させることができ、あるいは装着したままでも余り邪魔にならず必要なときすぐに利用できるので、忙しい介助の現場に適している。さらに小さく折り畳むことができるので、持ち運びや収納に便利である。
なお、前記の例では、移動補助具をベッドから車椅子への回転移動に利用したが、その他の移動にも適宜適用できることはいうまでもない。
【図面の簡単な説明】
【図１】  本発明に係る移動補助具の斜視図である。
【図２】  その折り畳み形態を説明する図である。
【図３】  その装着した状態を説明する図である。
【図４】  その使用方法を説明する図である。
【図５】  その使用方法を説明する図である。
【符号の説明】
１  移動補助具
２  支えベルト
３〜６  板状部
７  取付ベルト
８  折り畳みベルト
９〜１２  面ファスナー
【図１】
0004553172.tif 000002
【図２】
0004553172.tif 000003
【図３】
0004553172.tif 000004
【図４】
0004553172.tif 000005
【図５】
0004553172.tif 000006